(57)【要約】【課題】ある通信端末１０１が、特定の通信端末１０２から通話信号を受信することが可能な状態のままで、別の通信端末１０３に通話信号を送信するように、回線接続構成を変更することが可能な会議通話システム等を提供する。【解決手段】本発明に係る会議通話システム５０は、第１の携帯通信端末１０１の上り通話用回線Ｂｕと第２の携帯通信端末１０３の下り通話用回線Ｂｄとを接続可能に収容する回線収容部５２と、第１の携帯通信端末１０１との間で設定された無線チャネルＡと第１の携帯通信端末１０１の上り通話用回線Ｂｕ及び下り通話用回線Ｂｄとを接続する無線チャネル設定部２０、５１と、第１の携帯通信端末１０１から送信された切替情報に応じて、回線収容部５２において第１の携帯通信端末１０１の上り通話用回線の収容位置を第２の携帯通信端末１０３の下り通話用回線と接続可能な収容位置に切り替える切替部５４とを具備する。【選択図】  図２
2004364146.tif 000002
【特許請求の範囲】
【請求項１】
複数の携帯通信端末間の会議通話を可能とする会議通話システムであって、
第１の携帯通信端末の上り通話用回線と第２の携帯通信端末の下り通話用回線とを接続可能に収容する回線収容部と、
前記第１の携帯通信端末との間で設定された無線チャネルと該第１の携帯通信端末の上り通話用回線及び下り通話用回線とを接続する無線チャネル設定部と、
前記第１の携帯通信端末から送信された切替情報に応じて、前記回線収容部において、該第１の携帯通信端末の上り通話用回線の収容位置を、前記第２の携帯通信端末の下り通話用回線と接続可能な収容位置に切り替える切替部とを具備することを特徴とする会議通話システム。
【請求項２】
前記切替部は、前記第１の携帯通信端末から呼設定要求を受信した場合、該第１の携帯通信端末の下り通話用回線を前記回線収容部の所定位置に収容し、該第１の携帯通信端末の上り通話用回線を前記回線収容部に収容せず、
前記切替部は、前記第１の携帯通信端末から前記切替情報を受信した場合、該切替情報に応じて、該第１の携帯通信端末の上り通話用回線を前記回線収容部の所定位置に収容することを特徴とする請求項１に記載の会議通話システム。
【請求項３】
前記切替部によって前記第１の携帯通信端末の上り通話用回線の収容位置が切り替えられた際に、該第１の携帯通信端末にその旨を通知する表示情報を送信する表示情報送信部を具備することを特徴とする請求項１に記載の会議通話システム。
【請求項４】
第３の携帯通信端末との間で設定された第２の無線チャネルと該第３の携帯通信端末の上り通話用回線及び下り通話用回線とを接続する第２の無線チャネル設定部を具備し、
前記切替部は、前記第３の携帯通信端末から呼設定要求を受信した場合、該第３の携帯通信端末の上り通話用回線を、複数の携帯通信端末の下り通信用回線と接続可能な前記回線収容部の所定位置に常時収容することを特徴とする請求項１に記載の会議通話システム。
【発明の詳細な説明】
【０００１】
【発明の属する技術分野】
本発明は、複数の携帯通信端末間の会議通話を可能とする会議通話システムに関する。
【０００２】
【従来の技術】
従来、会議通話トランク（回線収容部）を用いて複数の通信端末間の会議通話を可能とする会議通話システムが知られている（例えば、特許文献１参照）。
【０００３】
【特許文献１】
特開平１−１９８８５８号
【０００４】
【発明が解決しようとする課題】
しかしながら、従来の会議通話システムでは、会議通話中に、ある通信端末が、特定の通信端末から通話信号を受信することが可能な状態のままで、別の通信端末に通話信号を送信するように、回線接続構成を容易に変更することができないという問題点があった。
【０００５】
例えば、自動車レースにおけるドライバやディレクタやエンジニア等のように、状況に応じて通話信号を送信する相手と通話信号を受信する相手を適宜切り替える必要がある場合、かかる問題点が顕著であった。
【０００６】
そこで、本発明は、以上の点に鑑みてなされたもので、ある通信端末が、特定の通信端末から通話信号を受信することが可能な状態のままで、別の通信端末に通話信号を送信するように、回線接続構成を変更することが可能な会議通話システムを提供することを目的とする。
【０００７】
【課題を解決するための手段】
本発明の第１の特徴は、複数の携帯通信端末間の会議通話を可能とする会議通話システムであって、第１の携帯通信端末の上り通話用回線と第２の携帯通信端末の下り通話用回線とを接続可能に収容する回線収容部と、前記第１の携帯通信端末との間で設定された無線チャネルと該第１の携帯通信端末の上り通話用回線及び下り通話用回線とを接続する無線チャネル設定部と、前記第１の携帯通信端末から送信された切替情報に応じて、前記回線収容部において、該第１の携帯通信端末の上り通話用回線の収容位置を、前記第２の携帯通信端末の下り通話用回線と接続可能な収容位置に切り替える切替部とを具備することを要旨とする。
【０００８】
かかる発明によれば、切替部が、第１の携帯通信端末から送信された切替情報に応じて当該第１の携帯通信端末の上り通話用回線の回線収容部における収容位置を切り替えるため、ユーザは、第１の携帯通信端末を用いて切替情報を送信することによって通話信号を受信する相手（第２の携帯通信端末）を適宜切り替えることができる。
【０００９】
本発明の第１の特徴において、前記切替部が、前記第１の携帯通信端末から呼設定要求を受信した場合、該第１の携帯通信端末の下り通話用回線を前記回線収容部の所定位置に収容し、該第１の携帯通信端末の上り通話用回線を前記回線収容部に収容せず、前記切替部が、前記第１の携帯通信端末から前記切替情報を受信した場合、該切替情報に応じて、該第１の携帯通信端末の上り通話用回線を前記回線収容部の所定位置に収容することが好ましい。
【００１０】
また、本発明の第１の特徴において、前記切替部によって前記第１の携帯通信端末の上り通話用回線の収容位置が切り替えられた際に、当該第１の携帯通信端末にその旨を通知する表示情報を送信する表示情報送信部を具備することが好ましい。
【００１１】
かかる発明によれば、表示情報送信部が、第１の携帯通信端末の上り通話用回線の収容位置が切り替えられた旨を通知する表示情報を送信するため、ユーザは、通話信号を受信する相手がどのように切り替わったかを容易に理解することができる。
【００１２】
また、本発明の第１の特徴において、第３の携帯通信端末との間で設定された第２の無線チャネルと当該第３の携帯通信端末の上り通話用回線及び下り通話用回線とを接続する第２の無線チャネル設定部を具備し、前記切替部が、前記第３の携帯通信端末から呼設定要求を受信した場合、当該第３の携帯通信端末の上り通話用回線を、複数の携帯通信端末の下り通信用回線と接続可能な前記回線収容部の所定位置に常時収容することが好ましい。
【００１３】
かかる発明によれば、切替部が、第３の携帯通信端末からの呼設定要求に応じて、当該第３の携帯通信端末の上り通話用回線を複数の携帯通信端末の下り通信用回線と接続可能な回線収容部の所定位置に常時収容するため、例えば、自動車レースのドライバのように常時他の人と話すことができる状態でいなければならないユーザの要求を満たすことができる。
【００１４】
本発明の第２の特徴は、第１の携帯通信端末の上り通話用回線と第２の携帯通信端末の下り通話用回線とを接続可能に収容する回線収容部を有する会議通話システムを用いて、複数の携帯通信端末間の会議通話を可能とする会議通話方法であって、前記会議通話システムが、前記第１の携帯通信端末との間で設定された無線チャネルと当該第１の携帯通信端末の上り通話用回線及び下り通話用回線とを接続する工程と、前記会議通話システムが、前記第１の携帯通信端末から送信された切替情報に応じて、前記回線収容部において、該第１の携帯通信端末の上り通話用回線の収容位置を、前記第２の携帯通信端末の下り通話用回線と接続可能な収容位置に切り替える工程とを有することを要旨とする。
【００１５】
本発明の第２の特徴において、前記会議通話システムが、前記第１の携帯通信端末から呼設定要求を受信した場合、当該第１の携帯通信端末の下り通話用回線を前記回線収容部の所定位置に収容し、当該第１の携帯通信端末の上り通話用回線を前記回線収容部に収容せず、前記第１の携帯通信端末から前記切替情報を受信した場合、該切替情報に応じて、当該第１の携帯通信端末の上り通話用回線を前記回線収容部の所定位置に収容することが好ましい。
【００１６】
また、本発明の第２の特徴において、前記会議通話システムによって前記第１の携帯通信端末の上り通話用回線の収容位置が切り替えられた際に、当該第１の携帯通信端末にその旨を通知する表示情報を送信することが好ましい。
【００１７】
また、本発明の第２の特徴において、前記会議通話システムが、第３の携帯通信端末との間で設定された第２の無線チャネルと当該第３の携帯通信端末の上り通話用回線及び下り通話用回線とを接続する工程を有し、前記会議通話システムが、前記第３の携帯通信端末の上り通話用回線を、複数の携帯通信端末の下り通信用回線と接続可能な前記回線収容部の所定位置に常時収容することが好ましい。
【００１８】
【発明の実施の形態】
（本発明の一実施形態に係る会議通話システムの構成）
本発明の一実施形態に係る会議通話システムの構成について、図１及び図２を参照しながら説明する。本実施形態に係る会議通話システム５０は、複数のコードレス電話機１０１乃至１０ｎ（第１の携帯通信端末又は第２の携帯通信端末を含む）や携帯通信端末３０（第３の携帯通信端末）の間の会議通話を可能とするものである。
【００１９】
図１に示すように、本実施形態に係る会議通話システム５０は、コードレス電話接続装置２０１乃至２０ｍを介してコードレス電話機１０１乃至１０ｎと無線接続可能であり、無線トランク５３を介して携帯通信端末３０と無線接続可能である。
【００２０】
また、図１に示すように、本実施形態に係る会議通話システム５０は、コードレス電話接続装置２０１乃至２０ｍと、ディジタル無線インターフェース５１と、会議通話トランク５２と、無線トランク５３と、スイッチ５４と、電源部５５と、中央処理装置５６とを具備している。
【００２１】
コードレス電話接続装置２０１乃至２０ｍは、コードレス電話機１０１乃至１０ｎとの間でそれぞれ無線チャネルを設定するものである。コードレス電話接続装置２０１乃至２０ｍは、会議通話に参加するユーザの場所に応じて設置される。コードレス電話接続装置２０１乃至２０ｍとコードレス電話機１０１乃至１０ｎとの間の無線チャネルは、コードレス電話機１０１乃至１０ｎの電源がＯＮになると自動的に設定される。
【００２２】
ディジタル無線インターフェース５１及びコードレス電話接続装置２０１乃至２０ｍは、コードレス電話接続装置２０（例えば、コードレス電話接続装置２０１）とコードレス電話機１０（例えば、コードレス電話機１０１）との間で設定された無線チャネルと、当該コードレス電話機１０（例えば、コードレス電話機１０１）の上り通話用回線及び下り通話用回線とを接続する無線チャネル設定部である。
【００２３】
会議通話トランク５２は、第１のコードレス電話機（例えば、コードレス電話機１０１）の上り通話用回線と第２のコードレス電話機（例えば、コードレス電話機１０２）の下り通話用回線とを接続可能に収容する回線収容部である。
【００２４】
無線トランク５３は、携帯通信端末３０（第３の携帯通信端末）との間で第２の無線チャネルを設定し、当該第２の無線チャネルと当該携帯通信端末３０の上り通話用回線及び下り通話用回線とを接続する第２の無線チャネル設定部である。無線トランク５３と携帯通信端末３０との間の無線チャネルは、携帯通信端末３０の電源がＯＮになると自動的に設定される。
【００２５】
例えば、無線トランク５３は、公衆無線通信網を介して携帯通信端末３０との間で第２の無線チャネルを設定するように構成され得る。
【００２６】
スイッチ５４は、コードレス電話機１０から送信された切替情報に応じて、当該コードレス電話機１０の上り通話用回線の会議通話トランク５２における収容位置を切り替える切替部である。
【００２７】
また、スイッチ５４は、コードレス電話機１０から呼設定要求を受信した場合、当該コードレス電話機１０の下り通話用回線を会議通話トランク５２の所定位置に収容するように構成できる。
【００２８】
一方、スイッチ５４は、コードレス電話機１０から呼設定要求を受信した場合、当該コードレス電話機１０の上り通話用回線を会議通話トランク５２に収容せず、当該コードレス電話機１０から切替情報を受信した場合、当該切替情報に応じて当該コードレス電話機１０の上り通話用回線を会議通話トランク５２の所定位置に収容するように構成できる。
【００２９】
コードレス電話機１０は、電源がＯＮになると自動的に呼設定要求を送信するように構成されている。
【００３０】
また、スイッチ５４は、コードレス電話機１０の上り通話用回線の会議通話トランク５２における収容位置を切り替えた際に、ディジタル無線インターフェース５１及びコードレス電話接続装置２０を介して、当該該コードレス電話機１０にその旨を通知する表示情報を送信することもできる。
【００３１】
また、スイッチ５４は、携帯通信端末３０から呼設定要求を受信した場合、携帯通信端末３０の上り通話用回線を、複数のコードレス電話機１０の下り通信用回線と接続可能な会議通話トランク５２の所定位置に常時収容することができる。携帯通信端末３０は、電源がＯＮになると自動的に呼設定要求を送信するように構成されている。
【００３２】
電源部５５は、会議通信システム５０の各機能に対して給電するものである。中央処理装置５６は、保守パネルに接続されており、会議通信システム５０で発生した障害情報等の保守情報を保守パネルに送信するものである。
【００３３】
図２に、本実施形態に係る会議通話システム５０とコードレス電話機１０１との間の通話チャネルの一例を示す。
【００３４】
図２に示すように、第１のコードレス電話機１０１とコードレス電話接続装置２０との間に無線チャネルＡが設定されている。また、コードレス電話接続装置２０及びディジタル無線インターフェース５１（図示せず）と会議通話システム５０の会議通話トランク５２との間に第１のコードレス電話機１０１の上り通話用回線Ｂｕ及び下り通話用回線Ｂｄが設定されている。
【００３５】
図２では、コードレス電話機１０１の下り通話用回線Ｂｄは、会議通話トランク５２の収容位置＃１に常時収容されている。また、コードレス電話機１０１の上り通話用回線Ｂｕは、収容位置＃ｍから収容位置＃ｎにスイッチ５４によって切り替えられている。ここで、収容位置＃ｍには、コードレス電話機１０ｍの下り通話用回線Ｂｄが収容されており、収容位置＃ｎには、コードレス電話機１０ｎの下り通話用回線Ｂｄが収容されている。
【００３６】
コードレス電話接続装置２０は、コードレス電話機１０１から無線チャネルＡを介して送信された通話信号（又は、切替情報）を上り通話用回線Ｂｕに送信する。その後、コードレス電話機１０１（第１の携帯通信端末）から送信された通話信号は、会議通話トランク５２の収容位置＃ｎで、コードレス電話機１０１の上り通話用回線Ｂｕと接続されているコードレス電話機１０ｎ（第２の携帯通信端末）の下り通話用回線Ｂｄを介して、コードレス電話機１０ｎに送信される。
【００３７】
コードレス電話接続装置２０は、会議通話トランク５２の収容位置＃１で、コードレス電話機１０２の上り通話用回線Ｂｕと接続されている下り通話用回線Ｂｄを介して送信された通話信号（又は、表示情報）を、無線チャネルＡを介してコードレス電話機１０１に送信する。
【００３８】
（本実施形態に係る会議通話システムの動作）
本実施形態に係る会議通話システム５０の動作を、図３を参照にして説明する。
【００３９】
図３に示すように、ステップ３０１において、コードレス電話機１０の電源をＯＮににした場合や、電波環境劣化による通話チャネルの切断が発生した場合や、通話圏外から通話圏内に移動した場合等に、コードレス電話機１０は、自動的に、無線チャネルＡを介してコードレス電話接続装置２０に呼設定要求を送信する。
【００４０】
ステップ３０２において、コードレス電話接続装置２０は、受信した呼設定要求を、上り通話用回線Ｂｕを介して会議通話システム５０のスイッチ５４に送信する。
【００４１】
ステップ３０３において、スイッチ５４とコードレス電話機１０との間で呼接続処理が行われ、ステップ３０４において、会議通話システム５０とコードレス電話機１０との間で通話チャネルが設定される。
【００４２】
具体的には、ステップ３０４において、コードレス電話機１０の下り通話用回線Ｂｄが、会議通話トランク５２の所定位置に収容されるため、コードレス電話機１０は、受話可能状態となる。一方、この段階では、コードレス電話機１０の上り通話用回線Ｂｕは、会議通話トランク５２に収容されないため、コードレス電話機１０は、送話可能状態とならない。
【００４３】
ステップ３０５において、コードレス電話機１０は、ユーザの指示に応じて、通話信号を送信する通話相手を指定するための切替情報を、無線チャネルＡを介してコードレス電話接続装置２０に送信する。
【００４４】
ステップ３０６において、コードレス電話接続装置２０は、受信した切替情報を、上り通話用回線Ｂｕを介して会議通話システム５０のスイッチ５４に送信する。そして、スイッチ５４は、受信した切替情報に応じて、コードレス電話機１０の上り通話用回線Ｂｕを、会議通話用トランク５２の所定位置に収容する。この結果、コードレス電話機１０は、送話可能状態となる。
【００４５】
ステップ３０７において、スイッチ５４は、コードレス電話機１０の下り通話用回線Ｂｄを介して、上述の切替結果を示す表示情報をコードレス電話接続装置２０に送信する。
【００４６】
図４に、上述の表示情報の一例を示す。本実施形態に係る表示情報は、図４に示すように、「表示情報要素」と「内容長」と「内容」とを含むものである。「表示情報要素」は、この情報が切替情報である旨を示す識別情報である。「内容長」は、切替情報に含まれる内容の長さを示すものである。
【００４７】
また、「内容」は、スイッチ５４によるコードレス電話機１０の上り通話用回線Ｂｕの会議通話用トランク５２における収容位置の切替結果を示すものである。
【００４８】
例えば、「内容」に「３０」が設定されている表示情報は、コードレス電話機１０が送話ＯＦＦ状態（送話不能状態）になった旨を示ものであり、「内容」に「４Ｅ」が設定されている表示情報は、切替先（送話先）のトランクがビジー状態であったため、切り替えが失敗した旨を示すものである。また、「内容」に「３１」乃至「３７」が設定されている表示情報は、コードレス電話機１０の上り通話用回線Ｂｕが、収容位置＃１乃至＃７に切り替えられた旨を示すものである。
【００４９】
ステップ３０８において、コードレス電話接続装置２０は、無線チャネルＡを介してコードレス電話機１０に表示情報を送信する。コードレス電話機１０によって表示された表示情報によって、ユーザは、通話信号を受信する通話相手の切替結果を確認することができる。ここで、コードレス電話機１０は、画面上に表示情報を表示してもよいし、スピーカを介して音で表示情報を表示してもよい。
【００５０】
図５に、本実施形態に係る会議通話システム５０を、自動車レースの現場において適用した場合の構成を示す。かかる場合、コードレス電話機１０１乃至１０４は、ヘッドセット型であり、携帯通信端末３０は、ドライバのヘルメットに内蔵されていることが好ましい。
【００５１】
図５の構成では、ディレクタとマネージャと整備士は、ヘッドセット型のコードレス電話機１０１、１０２、１０４を介して、ドライバの携帯通信端末３０からの通話信号を受話可能な状態にある。また、エンジニアは、ヘッドセット型のコードレス電話機１０３を介して、ドライバの携帯通信端末３０及びマネージャのコードレス電話機１０２からの通話信号を受話可能な状態にある。
【００５２】
また、図５の構成では、ディレクタとエンジニアと整備士は、ヘッドセット型のコードレス電話機１０１、１０３、１０４を介して送話可能な状態にないが、ドライバは、ヘルメットに内蔵された携帯通信端末３０を介して、ディレクタとマネージャとエンジニアと整備士に対して送話可能な状態にある。また、マネージャは、ヘッドセット型のコードレス電話機１０２を介して、エンジニアに対して送話可能な状態にある。
【００５３】
（本実施形態に係る会議通話システムの作用・効果）
本実施形態に係る会議通話システムによれば、スイッチ５４が、所定のコードレス電話機１０から送信された切替情報に応じて当該コードレス電話機１０の上り通話用回線Ｂｕの会議通話トランク５２における収容位置を切り替えるため、ユーザは、コードレス電話機１０を用いて切替情報を送信することによって通話信号を受信する相手を適宜切り替えることができる。
【００５４】
また、本実施形態に係る会議通話システムによれば、スイッチ５４が、のコードレス電話機１０の上り通話用回線Ｂｕの収容位置が切り替えられた旨を通知する表示情報を送信するため、ユーザは、通話信号を受信する相手がどのように切り替わったかを容易に理解することができる。
【００５５】
【発明の効果】
以上説明したように本発明によれば、ある通信端末が、特定の通信端末から通話信号を受信することが可能な状態のままで、別の通信端末に通話信号を送信するように、回線接続構成を変更することが可能な会議通話システム及び会議通話方法を提供することができる。
【図面の簡単な説明】
【図１】本発明の一実施形態に係る会議通話システムの全体構成図である。
【図２】本発明の一実施形態に係る会議通話システムとコードレス電話機との通話チャネルの一例を示す図である。
【図３】本発明の一実施形態に係る会議通話システムの動作を示すシーケンス図である。
【図４】本発明の一実施形態に係る会議通話システムにおける表示情報の一例を示す図である。
【図５】本発明の一実施形態に係る会議通話システムの適用例を示す図である。
【符号の説明】
１０…コードレス電話機
２０…コードレス電話接続装置
３０…携帯通信端末
５０…会議通話システム
５１…ディジタル無線インターフェース
５２…会議通話トランク
５３…無線トランク
５４…スイッチ
５５…電源部
５６…中央処理装置
【図１】
2004364146.tif 000003
【図２】
2004364146.tif 000004
【図３】
2004364146.tif 000005
【図４】
2004364146.tif 000006
【図５】
2004364146.tif 000007